(57)【特許請求の範囲】
【請求項１】
有料番組にＣＭを挿入して、視聴者端末装置にＣＭ付有料番組を送信する番組送受信システムであって、
有料番組を提供する有料番組サイトと、
ネットワーク上に複数存在し、各視聴者端末装置から受け付けた要求が所定数を超えていなければ有料番組の一覧表を、前記受け付けた要求が所定数を超えていれば他のＣＭ情報管理サイトの識別情報を前記視聴者端末装置に送信し、前記有料番組サイトから視聴者端末装置で指定された有料番組の提供を受け、ＣＭを挿入したＣＭ付有料番組を要求元の視聴者端末装置に送信するＣＭ情報管理サイトと、
前記ＣＭ情報管理サイトに有料番組の一覧表を要求し、前記要求に対する応答として前記有料番組の一覧表が受信されれば前記一覧表に含まれる有料番組を指定して当該ＣＭ情報管理サイトに要求して、ＣＭ付有料番組を受信して再生し、前記要求に対する応答として前記他のＣＭ情報管理サイトの識別情報が受信されれば、前記識別情報が示す他のＣＭ情報管理サイトに有料番組の一覧表を再度要求する複数の視聴者端末装置と
を備えることを特徴とする番組送受信システム。
【請求項２】
ネットワーク上に存在するＣＭ情報管理サイトであって、
有料番組の番組識別子を列記した番組一覧表を記憶する番組一覧表記憶手段と、
複数のＣＭを記憶しているＣＭ記憶手段と、
各視聴者端末装置から番組一覧表の送信要求を受信すると、各視聴者端末装置から受信した番組一覧表の送信要求が所定数を超えていなければ、前記番組一覧表記憶手段から番組一覧表を読み出して要求元の視聴者端末装置に送信し、
前記所定数を超えていれば、前記ネットワーク上に存在する他のＣＭ情報管理サイトの識別情報を前記要求元の視聴者端末装置に送信する番組一覧表送信手段と、
各視聴者端末装置から前記番組一覧表に記載の番組識別子を指定した有料番組の送信要求を受信する送信要求受信手段と、
有料番組サイトに送信要求された有料番組の送信要求をする有料番組送信要求手段と、
前記有料番組サイトから有料番組を受信する受信手段と、
受信した有料番組に前記ＣＭ記憶手段に記憶されている１以上のＣＭを読み出し、有料番組に挿入したＣＭ付有料番組を編集する編集手段と、
ＣＭ付有料番組を要求元の視聴者端末装置に送信する送信手段と
を備えることを特徴とするＣＭ情報管理サイト。
【請求項３】
各有料番組、各ＣＭ毎に送信した有料番組数とＣＭ数とを累計する送信数計数手段と、
有料番組に挿入可能な前記ＣＭ記憶手段に記憶されているＣＭのＣＭ識別子を列記したＣＭ一覧表を記憶しているＣＭ一覧表記憶手段とを更に備え、
前記番組一覧表送信手段は、番組一覧表を読み出すとともに前記ＣＭ一覧表記憶手段からＣＭ一覧表を読み出し、番組一覧表とともにＣＭ一覧表を要求元の視聴者端末装置に送信し、
前記送信要求受信手段は、番組名の指定とともに前記ＣＭ一覧表から選択された選択ＣＭ識別子も受信し、
前記編集手段は、前記送信要求受信手段で受信された選択ＣＭ識別子のＣＭを前記ＣＭ記憶手段から読み出し、有料番組に挿入したＣＭ付有料番組を編集することを特徴とする請求項２記載のＣＭ情報管理サイト。
【請求項４】
前記ＣＭ一覧表記憶手段には、ＣＭ識別子に対応して、ＣＭの選択で与えられるポイント数が記録されていることを特徴とする請求項３記載のＣＭ情報管理サイト。
【請求項５】
各ＣＭの単位ポイント当りの基本料金と当該ＣＭに対応したポイント数と、当該ＣＭの送信されたＣＭ数とに応じた広告料金を計算する広告料金計算手段を更に備えることを特徴とする請求項４記載のＣＭ情報管理サイト。
【請求項６】
前記ＣＭ一覧表記憶手段には、ＣＭ識別子に対応してＣＭの内容を示唆する付加情報が記憶されていることを特徴とする請求項３記載のＣＭ情報管理サイト。
【請求項７】
前記送信要求受信手段で受信された選択ＣＭ識別子に従い、各ＣＭがＣＭ全体で選択されたＣＭ選択割合を計算するＣＭ選択割合計算手段を更に備え、
このＣＭ選択割合は、ＣＭを提供している広告主に報告されることを特徴とする請求項３記載のＣＭ情報管理サイト。
【請求項８】
各有料番組の送信１回当りの使用料と送信された当該有料番組数とに応じた番組使用料を、各ＣＭの送信１回当りの広告料と送信された当該ＣＭ数とに応じた広告料をそれぞれ計算する料金計算手段を更に備えることを特徴とする請求項３記載のＣＭ情報管理サイト。
【請求項９】
前記編集手段は、
前記有料番組の識別情報と、有料番組に挿入したＣＭ毎の識別情報とそのＣＭ数とをＣＭ付有料番組のヘッダ情報として生成するヘッダ情報生成部を有し、
前記送信数計数手段は、
前記送信手段で送信されるＣＭ付有料番組のヘッダ情報を読み出すヘッダ情報読出部と、
読み出した各識別情報毎の有料番組数とＣＭ数とを累計する累計部とを有することを特徴とする請求項３記載のＣＭ情報管理サイト。
【請求項１０】
ネットワーク上に存在するＣＭ情報管理サイトであって、
有料番組の番組識別子を列記した番組一覧表を記憶する番組一覧表記憶手段と、
各視聴者端末装置から番組一覧表の送信要求を受信すると、各視聴者端末装置から受信した番組一覧表の送信要求が所定数を超えていなければ、前記番組一覧表記憶手段から番組一覧表を読み出して要求元の視聴者端末装置に送信し、前記所定数を超えていれば、前記ネットワーク上に存在する他のＣＭ情報管理サイトの識別情報を前記要求元の視聴者端末装置に送信する番組一覧表送信手段と、
有料番組サイトに番組名を含む認証情報を送信する認証情報送信手段と、
前記有料番組サイトから認証許可通知と有料番組とを、又は、認証拒否通知を受信する受信手段と、
受信された有料番組を記憶する有料番組記憶手段と、
記憶された有料番組にＣＭを挿入したＣＭ付有料番組を編集する編集手段と、
編集されたＣＭ付有料番組を要求元の視聴者端末装置に送信するＣＭ付有料番組送信手段と
を備えることを特徴とするＣＭ情報管理サイト。
【請求項１１】
前記ＣＭ付有料番組送信手段でＣＭ付有料番組が視聴者端末装置に送信された直後に、前記有料番組記憶手段に記憶されている有料番組及びＣＭ付有料番組を消去する消去手段を更に備えることを特徴とする請求項１０記載のＣＭ情報管理サイト。
【請求項１２】
前記認証情報には、配信形態を含み、
前記配信形態は、視聴者端末装置の機器の種類により決定され、
前記ＣＭ付有料番組送信手段は、配信形態に従い要求元の視聴者端末装置にＣＭ付有料番組を送信することを特徴とする請求項１０記載のＣＭ情報管理サイト。
【請求項１３】
有料番組にＣＭを挿入して、視聴者端末装置にＣＭ付有料番組を送信するＣＭ情報管理サイトの番組送受信方法であって、
各視聴者端末装置から有料番組の番組名を列記した有料番組一覧表の送信要求を受信する有料番組一覧表要求受信ステップと、
各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、
視聴者端末装置から有料番組一覧表に列記された番組名の番組要求を受信する番組要求受信ステップと、
有料番組サイトに番組要求された有料番組の要求を送信する有料番組要求送信ステップと、
有料番組サイトから有料番組を受信する有料番組受信ステップと、
受信した有料番組に記憶している１以上のＣＭを挿入するＣＭ挿入ステップと、
ＣＭの挿入されたＣＭ付有料番組を要求元の視聴者端末装置に送信するＣＭ付有料番組送信ステップと
を有することを特徴とする番組送受信方法。
【請求項１４】
前記有料番組一覧表送信ステップにおいて、有料番組一覧表の送信とともに、有料番組に挿入可能なＣＭ識別子と当該ＣＭ識別子に対応してＣＭの選択で与えられるポイント数とを列記したＣＭ一覧表を送信し、
前記番組要求受信ステップにおいて、番組要求とともに選択された選択ＣＭ識別子を受信し、
前記ＣＭ挿入ステップにおいて、有料番組に選択ＣＭ識別子で識別されるＣＭを挿入し、
各ＣＭ毎に送信したＣＭ数を累計する送信数計数ステップと、
各ＣＭの単位ポイント当りの基本料金と当該ＣＭに対応したポイント数と、当該ＣＭの送信されたＣＭ数とに応じた広告料金を計算する広告料金計算ステップとを更に有することを特徴とする請求項１３記載の番組送受信方法。
【請求項１５】
前記有料番組一覧表送信ステップにおいて、有料番組一覧表の送信とともに、有料番組に挿入可能なＣＭ識別子を列記したＣＭ一覧表を送信し、
前記番組要求受信ステップにおいて番組要求とともに選択された選択ＣＭ識別子を受信し、
前記ＣＭ挿入ステップにおいて、有料番組に選択ＣＭ識別子で選別されるＣＭを挿入し、
各ＣＭ毎に送信したＣＭ数を累計する送信数計数ステップと、
前記番組要求受信ステップで受信された選択ＣＭ識別子に従い、各ＣＭがＣＭ全体で選択されたＣＭ選択割合を計算するＣＭ選択割合計算ステップとを有し、
このＣＭ選択割合は、ＣＭを提供している広告主に報告されることを特徴とする請求項１３記載の番組送受信方法。
【請求項１６】
ネットワーク上に存在するＣＭ情報管理サイトの番組送受信方法であって、
各視聴者端末装置から有料番組の番組名を列記した有料番組一覧表の送信要求を受信する有料番組一覧表要求受信ステップと、
各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、
有料番組サイトに番組名を含む認証情報を送信する認証情報送信ステップと、
前記有料番組サイトから認証許可通知と有料番組とを、又は、認証拒否通知を受信する受信ステップと、
受信された有料番組を記憶する有料番組記憶ステップと、
記憶された有料番組にＣＭを挿入したＣＭ付有料番組を編集する編集ステップと、
編集されたＣＭ付有料番組を要求元の視聴者端末装置に送信するＣＭ付有料番組送信ステップと
を有することを特徴とするＣＭ情報管理サイトの番組送受信方法。
【請求項１７】
有料番組にＣＭを挿入して、視聴者端末装置にＣＭ付有料番組を送信するＣＭ情報管理サイトに、
各視聴者端末装置から有料番組の番組名を列記した有料番組一覧表の送信要求を受信する有料番組一覧表要求受信ステップと、
各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、
視聴者端末装置から有料番組一覧表に列記された番組名の番組要求を受信する番組要求受信ステップと、
有料番組サイトに番組要求された有料番組の要求を送信する有料番組要求送信ステップと、
有料番組サイトから有料番組を受信する有料番組受信ステップと、
受信した有料番組に記憶している１以上のＣＭを挿入するＣＭ挿入ステップと、
ＣＭの挿入されたＣＭ付有料番組を要求元の視聴者端末装置に送信するＣＭ付有料番組送信ステップと
を実行させるための番組送受信プログラム。
【請求項１８】
有料番組にＣＭを挿入して、視聴者端末装置にＣＭ付有料番組を送信するＣＭ情報管理サイトに、
各視聴者端末装置から有料番組の番組名を列記した有料番組一覧表の送信要求を受信する有料番組一覧表要求受信ステップと、
各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、
視聴者端末装置から有料番組一覧表に列記された番組名の番組要求を受信する番組要求受信ステップと、
有料番組サイトに番組要求された有料番組の要求を送信する有料番組要求送信ステップと、
有料番組サイトから有料番組を受信する有料番組受信ステップと、
受信した有料番組に記憶している１以上のＣＭを挿入するＣＭ挿入ステップと、
ＣＭの挿入されたＣＭ付有料番組を要求元の視聴者端末装置に送信するＣＭ付有料番組送信ステップと
を実行させるためのプログラムを記録したコンピュータ読み取り可能な記録媒体。
【請求項１９】
ＣＭ付有料番組を受信して再生する各視聴者端末装置であって、
ＣＭ情報管理サイトに番組一覧表を要求する番組一覧表要求手段と、
要求先のＣＭ情報管理サイトから番組一覧表とＣＭ一覧表、もしくは、他のＣＭ情報管理サイトの識別情報を受信する一覧表受信手段と、
前記一覧表受信手段が他のＣＭ情報管理サイトの識別情報を受信した場合は、番組一覧表を当該識別情報の示す他のＣＭ情報管理サイトへ再度要求する再要求手段と、
前記番組一覧表の内容に従い複数の有料番組の番組名を表示した番組選択画面をモニタに表示し、番組名が選択された後に、前記ＣＭ一覧表の内容に従い複数のＣＭのＣＭ識別子を表示したＣＭ選択画面をモニタに表示する表示制御手段と、
選択された番組名と選択された選択ＣＭ識別子とともに有料番組の送信要求をＣＭ情報管理サイトに送信する送信要求送信手段と、
ＣＭ付有料番組を受信する受信手段と、
受信したＣＭ付有料番組を再生出力する再生手段と
を備えることを特徴とする視聴者端末装置。
【請求項２０】
前記ＣＭ一覧表には、ＣＭ識別子に対応して、ＣＭの選択で与えられるポイント数が記録されており、
前記表示制御手段は、ＣＭ選択画面に表示したＣＭ識別子に対応してポイント数を表示し、
前記モニタに表示された複数のＣＭ識別子からＣＭ識別子の選択を受け付けるＣＭ選択受付手段と、
前記ＣＭ識別子が選択されたとき、対応するポイント数を順次合計し、所定ポイント以上になったとき、有料番組の送信要求を許可する送信要求許可手段と
を更に備えることを特徴とする請求項１９記載の視聴者端末装置。
【請求項２１】
前記モニタに表示された複数のＣＭ識別子からＣＭ識別子の選択を受け付けるＣＭ選択受付手段と、
前記ＣＭ識別子が所定数選択されたとき、有料番組の送信要求を許可する送信要求許可手段とを更に備えることを特徴とする請求項１９記載の視聴者端末装置。
【請求項２２】
前記ＣＭ一覧表には、ＣＭ識別子に対応してＣＭの内容を示唆する付加情報が記録されており、
前記表示制御手段は、
前記ＣＭ選択画面にＣＭ識別子に対応して付加情報を表示することを特徴とする請求項１９記載の視聴者端末装置。
【発明の詳細な説明】
【０００１】
【発明の属する技術分野】
本発明は、映像や音楽等の番組を提供する番組送受信システムに関する。
【０００２】
【従来の技術】
近年、既存の地上波放送に加えて、通信衛星や放送衛星、ＣＡＴＶ、インターネット等を使用する様々な放送形態が登場している。
図１７は、従来の有料番組を廉価に提供するシステムの概略図である。このシステムは、有料番組サイト１０１と、広告主サイト１０２と、視聴者端末１０３とから構成される。
【０００３】
有料番組サイト１０１は、映画やスポーツ、ニュース、音楽等の有料番組を有し、広告主サイト１０２が有する広告主のＣＭ映像を有料番組に挿入したＣＭ付有料番組を視聴者端末１０３の要求に応じて放送する。
広告主サイト１０２は、有料番組サイト１０１にＣＭ映像の挿入による宣伝に対して広告料を支払う。
【０００４】
視聴者端末１０３は、有料番組サイト１０１に番組名を指定してＣＭ付有料番組を要求し、その放送を受信し、再生する。視聴者端末１０３は、ＣＭ映像の挿入により割り引かれた視聴料を有料番組サイト１０１に支払う。
【０００５】
【発明が解決しようとする課題】
ところで、視聴者端末１０３から有料番組サイト１０１への有料番組の要求は、例えば、インターネットを介して行われ、有料番組サイト１０１から視聴者端末１０３へのＣＭ付有料番組は、例えば、衛星放送により放送されている。
しかし、人気のある有料番組では、それを要求する視聴者端末１０３の数は膨大となり、公衆回線網を介するインターネットでは、有料番組の要求が錯綜することになる。
【０００６】
また、有料番組サイト１０１は、自身の有する有料番組の著作権を保護する観点からＣＭ付有料番組の不正利用を防止する必要がある。
本発明は、上記課題に鑑み、視聴者端末１０３から有料番組の要求が集中して錯綜することのない番組送受信システムを提供することを第１の目的とする。
本発明の第２の目的は、有料番組サイト１０１の有する有料番組の著作権の保護される番組送受信システムを提供することである。
【０００７】
【課題を解決するための手段】
上記課題を解決するため、本発明は、有料番組にＣＭを挿入して、視聴者端末装置にＣＭ付有料番組を送信する番組送受信システムであって、有料番組を提供する有料番組サイトと、ネットワーク上に複数存在し、各視聴者端末装置から受け付けた要求が所定数を超えていなければ有料番組の一覧表を、前記受け付けた要求が所定数を超えていれば他のＣＭ情報管理サイトの識別情報を前記視聴者端末装置に送信し、前記有料番組サイトから視聴者端末装置で指定された有料番組の提供を受け、ＣＭを挿入したＣＭ付有料番組を要求元の視聴者端末装置に送信するＣＭ情報管理サイトと、前記ＣＭ情報管理サイトに有料番組の一覧表を要求し、前記要求に対する応答として前記有料番組の一覧表が受信されれば前記一覧表に含まれる有料番組を指定して当該ＣＭ情報管理サイトに要求して、ＣＭ付有料番組を受信して再生し、前記要求に対する応答として前記他のＣＭ情報管理サイトの識別情報が受信されれば、前記識別情報が示す他のＣＭ情報管理サイトに有料番組の一覧表を再度要求する複数の視聴者端末装置とを備えることとしている。
【０００８】
【発明の実施の形態】
以下、本発明に係る番組送受信システムの実施の形態を図面を用いて説明する。
（実施の形態1）
図１は、本発明に係る番組送受信システムの実施の形態１の概略図である。
【０００９】
番組送受信システムは、有料番組サイト２０１と、広告主サイト２０２と、複数のＣＭ情報管理サイト２０３と、複数の視聴者端末２０４とから構成される。有料番組サイト２０１は、映画やスポーツ、ニュース、音楽等の有料番組を保有し、各ＣＭ情報管理サイト２０３に対して有料番組を提供する代わりに各ＣＭ情報管理サイト２０３から契約に応じた有料番組の使用料を得る。
【００１０】
広告主サイト２０２は、広告主のＣＭ映像を各ＣＭ情報管理サイト２０３に提供し、有料番組にＣＭ映像を挿入したＣＭ付有料番組が視聴者に配信されることによって、広告主の製品の宣伝効果を得る代わりに、当該ＣＭ情報管理サイト２０３に対してＣＭ映像の配信された分の広告料を支払う。
各ＣＭ情報管理サイト２０３は、広告主サイト２０２から提供されたＣＭ映像を保有する。各視聴者端末２０４から有料番組の要求を受けると、有料番組サイト２０１から有料番組の提供を受け、有料番組にＣＭ映像を挿入したＣＭ付有料番組を要求元の視聴者端末２０４に配信する。視聴者端末２０４にＣＭ付有料番組の視聴料を請求し、広告主サイト２０２に広告料を請求し、有料番組サイト２０１に有料番組の使用料を支払う。
【００１１】
各視聴者端末２０４は、いずれかのＣＭ情報管理サイト２０３に有料番組を要求し、ＣＭ付有料番組の配信を当該ＣＭ情報管理サイト２０３から受ける。当該ＣＭ情報管理サイト２０３に対して、挿入されたＣＭ映像数分割り引きされた有料番組の視聴料を支払う。
次に、本実施の形態の詳細を図２に示す構成図を用いて説明する。
【００１２】
この番組送受信システムは、有料番組サイト２０１と、広告主サイト２０２と、複数のＣＭ情報管理サイト２０３と、複数の視聴者端末２０４とから構成される。
有料番組サイト２０１は、コンテンツサーバ３１１と、コンテンツ管理部３１２と、コンテンツ送信部３１３と、モデム３１４と、受信制御部３１５とを備えている。
【００１３】
コンテンツサーバ３１１は、ハードディスク等からなり、有料番組サイト２０１が著作権を有する映画やスポーツ、ニュース、音楽等の有料番組のコンテンツを蓄積している。図では、有料番組の「映画１」を記憶している。
コンテンツ管理部３１２は、受信制御部３１５から送信要求を通知されると、送信要求で指定されたコンテンツをコンテンツサーバ３１１から読み出す。読み出したコンテンツとともに、送信要求に含まれる要求元のＣＭ情報管理サイト２０３の識別情報をコンテンツ送信部３１３に通知する。
【００１４】
コンテンツ送信部３１３は、コンテンツ管理部３１２から要求元のＣＭ情報管理サイト２０３の識別情報と、読み出されたコンテンツ、例えば「映画１」の通知を受けると、識別情報に従い、ＣＭ情報管理サイト２０３に「映画１」を送信する。
モデム３１４は、公衆回線等を介して複数のＣＭ情報管理サイト２０３と接続されている。
【００１５】
受信制御部３１５は、モデム３１４を介してＣＭ情報管理サイト２０３から受信した送信要求をコンテンツ管理部３１２に通知する。送信要求には、有料番組のコンテンツを示す有料番組名と、要求元のＣＭ情報管理サイト２０３を識別する識別情報とが含まれている。
広告主サイト２０２は、ＣＭ情報管理サイト２０３と公衆回線で接続されている。
【００１６】
ＣＭ情報管理サイト２０３は、番組一覧管理部３３１と、コンテンツサーバー３３２と、コンテンツ管理部３３３と、コンテンツ受信部３３４と、モデム３３５と、送受信制御部３３６と、コンテンツ送信部３３７と、コンテンツ送信数計数部３３８とを備えている。
番組一覧管理部３３１は、有料番組サイト２０１から取得可能な有料番組の番組名を記載した番組一覧表を記憶している。即ち、視聴者端末２０４に提供する有料番組の番組一覧表を記憶している。
【００１７】
コンテンツサーバ３３２は、ハードディスク等からなり、有料番組に挿入すべき複数のＣＭ映像を予め記憶しており、有料番組サイト２０１から受信された有料番組のコンテンツ、例えば「映画１」を記憶している。更に、図示しない編集装置によって、「映画１」にＣＭ映像を挿入したＣＭ付有料番組を記憶している。
【００１８】
なお、ＣＭ付有料番組には、そのヘッダ情報として、有料番組名と、有料番組に挿入されたＣＭ映像毎のＣＭ映像数とが記録されている。
コンテンツ管理部３３３は、送受信制御部３３６から有料番組名と視聴者端末２０４の識別情報とを含む有料番組取得要求を通知されると、コンテンツサーバ３３２に有料番組名で識別されるＣＭ付有料番組が記憶されているか否かをＣＭ付有料番組のヘッダ情報をみて判定する。コンテンツサーバ３３２に有料番組取得要求で通知されたＣＭ付有料番組が記憶されていないとき、当該有料番組名と、ＣＭ情報管理サイト２０３自身の識別情報とを含む送信要求を送受信制御部３３６に通知する。
【００１９】
コンテンツ管理部３３３は、コンテンツサーバ３３２に有料番組取得要求で通知されたＣＭ付有料番組が記憶されているとき、そのヘッダ情報とともにＣＭ付有料番組を読み出し、コンテンツ送信部３３７に通知する。
コンテンツ管理部３３３は、コンテンツ受信部３３４から受信した有料番組の通知を受けると、コンテンツサーバ３３２に記憶させる。併せて、図示しない編集装置にＣＭ映像をコンテンツサーバ３３２に記憶させた有料番組に挿入したＣＭ付有料番組を編集するよう指示する。
【００２０】
編集装置は、ＣＭ映像を挿入したＣＭ付有料番組を編集すると、そのＣＭ付有料番組のヘッダ情報として有料番組名と、ＣＭ映像毎のＣＭ映像数を記録する。
コンテンツ受信部３３４は、有料番組サイト２０１のコンテンツ送信部３１３から送信要求した有料番組を受信すると、コンテンツ管理部３３３に有料番組を通知する。
【００２１】
モデム３３５は、公衆回線を介して有料番組サイト２０１のモデム３１４と複数の視聴者端末２０４と接続されている。また、広告主サイト２０２とも公衆回線により接続されている。
モデム３３５は、視聴者端末２０４から番組一覧表の受信要求を通信すると、送受信制御部３３６に番組一覧表の送信要求を通知する。番組一覧表の送信要求には、視聴者端末２０４の識別情報も含まれている。
【００２２】
また、モデム３３５は、視聴者端末２０４から有料番組取得要求を受信すると、送受信制御部３３６に有料番組取得要求を通知する。
モデム３３５は、送受信制御部３３６から番組一覧表と視聴者端末２０４の識別情報とを通知されると、識別情報で識別される視聴者端末２０４に番組一覧表を送信する。
【００２３】
また、モデム３３５は、送受信制御部３３６から有料番組の送信要求を通知されると、有料番組サイト２０１のモデム３１４に送信要求を送信する。
送受信制御部３３６は、モデム３３５から番組一覧表の送信要求を通知されると、番組一覧管理部３３１に記憶されている番組一覧表を読み出す。読み出した番組一覧表と送信要求に含まれる視聴者端末２０４の識別情報とをモデム３３５に通知する。
【００２４】
送受信制御部３３６は、モデム３３５から有料番組取得要求を通知されると、コンテンツ管理部３３３に有料番組取得要求を通知する。
送受信制御部３３６は、コンテンツ管理部３３３から送信要求を通知されると、モデム３３５に有料番組の送信要求を通知する。
なお、送受信制御部３３６は、他のＣＭ情報管理サイトのＵＲＬを記憶している。他のＣＭ情報管理サイトは、自身のＣＭ情報管理サイト２０３と運営主体が同系列のものであってもよいし、また、提携関係のあるものであってもよい。モデム３３５から番組一覧表の送信要求の通知が所定数を超えると、例えば３０００を超えると、モデム３３５へ番組一覧表の通知に換えて、他のＣＭ情報管理サイトのＵＲＬを通知する。
【００２５】
モデム３３５は、番組一覧表の送信要求をしてきた視聴者端末２０４に他のＣＭ情報管理サイトのＵＲＬを送信する。
これによって、ＣＭ情報管理サイト２０３自身に有料番組の取得要求が錯綜することが防止される。
コンテンツ送信部３３７は、コンテンツ管理部３３３から通知されたＣＭ付有料番組を識別情報で識別される視聴者端末２０４に放送波で送信する。併せて、ＣＭ付有料番組のヘッダ情報をコンテンツ送信数計数部３３８に通知する。この際、送信先の視聴者端末２０４の識別情報も通知する。
【００２６】
コンテンツ送信数計数部３３８は、コンテンツ送信部３３７から通知されたヘッダ情報により、各視聴者端末２０４に送信したＣＭ付有料番組の番組数とＣＭ映像毎のＣＭ映像数とを計数する。
図３は、コンテンツ送信部３３７からＣＭ付有料番組が視聴者端末２０４に送信されたとき、コンテンツ送信数計数部３３８に通知されるヘッダ情報の一例を示す図である。
【００２７】
ヘッダ情報４０１には、番組名４０２と番組に含まれる映像数４０３とが記載されている。番組名４０２には、有料番組名とＣＭ名とが記載されている。
コンテンツ送信数計数部３３８は、通知されたヘッダ情報の各番組名毎の映像数を累計して、視聴者端末に提供した回数を計算する。
コンテンツ送信数計数部３３８は、予め、有料番組の送信１回当りの使用料と、ＣＭ映像の送信１回当りの広告料とを記憶している。コンテンツ送信数計数部３３８は、式（１）に従い、各有料番組又は各ＣＭ映像の使用料又は広告料を計算する。
【００２８】
使用料/広告料＝視聴者端末に提供した回数×１回の料金…（１）
図４は、使用料又は広告料の計算結果を一覧表に示したものの一例である
使用料/広告料一覧表５０１には、番組名５０２と視聴者端末に提供した回数５０３と１回の料金５０４と使用料/広告料５０５との各欄が設けられている。番組名５０２で特定される有料番組またはＣＭ映像の使用料/広告料５０５が計算されている。
【００２９】
ここで、１回の料金５０４は、各有料番組又は各ＣＭ映像毎に有料番組サイト２０１又は広告主サイト２０２とＣＭ情報管理サイト２０３との間で、予め契約により設定されている。
このように、視聴者端末２０４に提供した回数に応じて、有料番組サイト２０１に支払われる有料番組の使用料が計算され、広告主サイト２０２に請求される広告料が計算される。
【００３０】
また、コンテンツ送信数計数部３３８は、各視聴者端末２０４ごとに提供した有料番組名を記録した視聴者端末管理表を作成する。
図５は、視聴者端末管理表の一例を示す図である。視聴者端末管理表６０１には、視聴者端末欄６０２と有料番組名欄６０３と視聴料欄６０４とが設けられている。視聴者端末欄６０２には、各視聴者端末２０４を識別する識別情報が記録されている。有料番組名欄６０３には、識別情報で識別される視聴者端末に提供した有料番組名が記録されている。視聴料欄６０４には、各視聴者端末毎の視聴料が計算されている。各有料番組毎の視聴料は、各ＣＭ情報管理サイト２０３から各視聴者端末２０４に提示されている。
【００３１】
視聴者端末２０４は、コンテンツサーバ３４１と、入力処理部３４２と、送受信制御部３４３と、モデム３４４と、コンテンツ受信部３４５と、コンテンツ管理部３４６と、映像音声処理部３４７と、再生回数計数部３４８と、ＩＣカード３４９とを備えている。入力処理部３４２には、外部のリモコン３５１からのユーザ操作の信号が入力される。映像音声処理部３４７から出力される映像音声や文字情報等は外部のモニタ３５２で再生される。
【００３２】
なお、リモコン３５１に替えて、ユーザが直接入力処理部３４２のボタン(図示せず)等を用いて操作するようにしてもよい。
コンテンツサーバ３４１は、ハードディスク等からなり、取得要求した有料番組にＣＭ映像の挿入されたＣＭ付有料番組を記憶する。
入力処理部３４２は、ユーザのリモコン３５１の操作による操作信号の入力を受ける。
【００３３】
ユーザは、リモコン３５１から番組一覧表の取得要求や、有料番組の選択、有料番組の取得要求、取得されたＣＭ付有料番組の再生指示等の操作を行う。
入力処理部３４２は、リモコン３５１から番組一覧表の取得要求の信号を受信すると、送受信制御部３４３に番組一覧表の取得要求を通知する。
入力処理部３４２は、リモコン３５１から有料番組を選択する信号を受信すると、送受信制御部３４３にその選択信号を通知する。更に有料番組の取得要求の信号を受信すると、送受信制御部３４３に有料番組の取得要求を通知する。
【００３４】
入力処理部３４２は、リモコン３５１からＣＭ付有料番組の再生指示信号を受信すると、コンテンツ管理部３４６に再生指示を通知する。
送受信制御部３４３は、入力処理部３４２から番組一覧表の取得要求の通知を受けると、自身を識別する識別情報を含む番組一覧表の送信要求をモデム３４４に通知する。
【００３５】
送受信制御部３４３は、モデム３４４から番組一覧表の通知を受けると、それを映像音声処理部３４７に通知する。
なお、送受信制御部３４３は、モデム３４４から他のＣＭ情報管理サイトのＵＲＬの通知を受けた場合には、当該ＵＲＬで示された他のＣＭ情報管理サイトに対し、モデム３４４に自身を識別する識別情報を含む番組一覧表の送信要求の送信を指示する。モデム３４４は、再度、他のＣＭ情報管理サイトに番組一覧表の送信要求を送信する。
【００３６】
ここでは、他のＣＭ情報管理サイトのＵＲＬの通知を一つ受けることとしたけれども、他のＣＭ情報管理サイトのＵＲＬの一覧表の通知を受け、視聴者端末２０４で選択した一つのＵＲＬで識別される他のＣＭ情報管理サイトに番組一覧表の送信要求を送信するようにしてもよい。これによって、ＣＭ情報管理サイト２０３への有料番組の送信要求が集中することが防止され、他のＣＭ情報管理サイトに有料番組の送信要求がされることになる。
【００３７】
送受信制御部３４３は、入力処理部３４２から有料番組の選択信号と取得要求とを通知されると、自身を識別する識別情報と有料番組名とを含む有料番組の送信要求をモデム３４４に通知する。
モデム３４４は、公衆回線を介してＣＭ情報管理サイト２０３のモデム３３５と接続されている。
【００３８】
モデム３４４は、送受信制御部３４３から番組一覧表の送信要求を通知されると、モデム３３５にそれを送信する。モデム３４４は、モデム３３５から番組一覧表を受信すると、送受信制御部３４３に番組一覧表を通知する。
モデム３４４は、受信制御部３４３から有料番組の送信要求を通知されると、モデム３３５に有料番組の送信要求を送信する。
【００３９】
コンテンツ受信部３４５は、送信要求した有料番組のＣＭ付有料番組をＣＭ情報管理サイト２０３から受信すると、コンテンツ管理部３４６に通知する。
コンテンツ管理部３４６は、コンテンツ受信部３４５で受信されたＣＭ付有料番組を通知されると、コンテンツサーバ３４１に記憶させる。コンテンツ管理部３４６は、入力処理部３４２から再生指示を通知されると、コンテンツサーバ３４１に記憶されているＣＭ付有料番組を読み出し、映像音声処理部３４７に通知する。この際、有料番組の読み出しを開始したとき、再生回数計数部３４８に有料番組名と回数「１」を通知し、ＣＭ映像を読み出す毎にＣＭ映像名（番組名）と回数「１」を通知する。
【００４０】
映像音声処理部３４７は、送受信制御部３４３から番組一覧表の通知を受けると、外部のモニタ３５２にその内容を表示させる。
図６は、モニタ３５２に表示された番組一覧表の内容を示す有料番組選択画面である。有料番組選択画面７０１には、有料番組の番組名７０２、７０３、・・・が表示されている。
【００４１】
ユーザは、この有料番組選択画面７０１を見て、リモコン３５１を操作して、例えば「映画１」７０２を選択し、番組取得要求を指示する。この後、ＣＭ付有料番組を取得できた旨の表示がモニタ３５２に表示される。ユーザは、リモコン３５１を操作して再生指示をする。
映像音声処理部３４７は、コンテンツ管理部３４６から通知されたＣＭ付有料番組を再生してモニタ３５２に出力する。
【００４２】
再生回数計数部３４８は、コンテンツ管理部３４６から読み出した有料番組名と回数及びＣＭ映像名と回数を通知されると、有料番組名毎にその回数と、ＣＭ映像名毎にその回数とを累積して計数する。これらの視聴回数をＩＣカード３４９に記録する。なお、ＩＣカード３４９に視聴回数を記録するのに替えて、有料番組の視聴毎に、その視聴回数をＣＭ情報管理サイト２０３に通知するようにしてもよい。
【００４３】
ＩＣカード３４９は、着脱可能であり、有料番組やＣＭ映像の再生回数が記録される。また、ＩＣカード３４９には、契約者の個人ＩＤやカードＩＤ等の視聴者情報及び、ＣＭ付有料番組がスクランブルされているときにそれをデスクランブルするための暗号鍵等も記憶している。
次に、本実施の形態の動作を有料番組サイト２０１、ＣＭ情報管理サイト２０３及び視聴者端末２０４間の図７に示すメッセージシーケンスを用いて説明する。
【００４４】
先ず、視聴者端末２０４のモデム３４４からユーザの番組一覧表取得要求をＣＭ情報管理サイト２０３のモデム３３５に送信する（ｓ８０２）。
ＣＭ情報管理サイト２０３では、送受信制御部３３６が番組一覧表を番組一覧管理部３３１から読み出し（ｓ８０４）、モデム３３５を介して要求元の視聴者端末２０４に番組一覧表を送信する（ｓ８０６）。
【００４５】
視聴者端末２０４は、この番組一覧表を受信し、モニタ３５２に有料番組選択画面７０１を表示させ、ユーザから番組の選択と送信要求の指示を受ける（ｓ８０８）。入力処理部３４２からのこの指示を受けた送受信制御部３４３は、モデム３４４を介してＣＭ情報管理サイト２０３に有料番組送信要求を送信する（ｓ８１０）。
【００４６】
ＣＭ情報管理サイト２０３のコンテンツ管理部３３３は、この有料番組の送信要求を受けると、コンテンツサーバ３３２にこの有料番組のＣＭ付有料番組が記憶されているか否かを判断する（ｓ８１２）。記憶されているときは、ｓ８２２に移り、記憶されていないときには、有料番組サイト２０１にこの有料番組の送信要求を送受信制御部３３６、モデム３３５を介して送信する（ｓ８１４）。
【００４７】
有料番組サイト２０１は、ＣＭ情報管理サイト２０３からの有料番組の送信要求を受けると（ｓ８１６）、コンテンツ管理部３１２はコンテンツサーバ３１１から要求された有料番組を読み出し、コンテンツ送信部３１３がそれをＣＭ情報管理サイト２０３に送信する（ｓ８１８）。
ＣＭ情報管理サイト２０３では、コンテンツ受信部３３４が要求した有料番組を受信し、コンテンツ管理部３３３を介してコンテンツサーバ３３２に記憶させる（ｓ８２０）。
【００４８】
コンテンツサーバ３３２に記憶された有料番組にコンテンツサーバ３３２に予め記憶されているＣＭ映像を挿入したＣＭ付有料番組が編集される。
コンテンツ送信部３３７は、コンテンツ管理部３３３でコンテンツサーバ３３２から読み出されたＣＭ付有料番組を視聴者端末２０４に送信する。この際、コンテンツ送信数計数部３３８では、送信される回数を有料番組毎、ＣＭ映像毎に累積して計数し、有料番組の使用料やＣＭ映像の広告料を計算する（ｓ８２２）。
【００４９】
視聴者端末２０４は、ＣＭ付有料番組の送信を受けると、コンテンツサーバ３４１に記憶させる。ユーザからの再生指示を受けると、コンテンツ管理部３４６は、ＣＭ付有料番組を読み出す。映像音声処理部３４７は、読み出されたＣＭ付有料番組を再生して、モニタ３５２に出力する（ｓ８２４）。
なお、Ｓ８０４において、送受信制御部３３６は、番組一覧表取得取得要求が所定数を超えて通知されたときには、番組一覧管理部３３１からの番組一覧表の読み出しをしないで、自身が記憶している他のＣＭ情報管理サイトのＵＲＬをモデム３３５に通知する。モデム３３５は、Ｓ８０６において、要求元の視聴者端末２０４にＵＲＬを送信する。これによって、要求元の視聴者端末２０４では、受信されたＵＲＬのＣＭ情報管理サイトに対してＳ８０２からの処理を行う。
【００５０】
また、本実施の形態では、ＣＭ情報管理サイト２０３から視聴者端末２０４へのＣＭ付有料番組の送信による有料番組やＣＭ映像の送信回数によって、有料番組サイト２０１への使用料の支払額や広告主サイト２０２への広告料の請求額を計算するようにしたけれども、視聴者端末２０４での再生回数に基づいて使用料や広告料を計算するようにしてもよい。この場合には、各視聴者端末２０４の再生回数計数部３４８で計数された再生回数を記憶しているＩＣカード３４９の内容を送受信制御部３４３が読み出し、モデム３４４を介して、ＣＭ情報管理サイト２０３に通信する。ＣＭ情報管理サイト２０３では、コンテンツ送信数計数部３３８は、各視聴者端末２０４からの再生回数を有料番組及びＣＭ映像毎に累計する。上述の式（１）の「視聴者端末に提供した回数」を「視聴者端末での視聴回数」に代えて使用料又は広告料を計算する。
【００５１】
(実施の形態２)
上記実施の形態１では、有料番組に挿入されるＣＭ映像は、ＣＭ情報管理サイト２０３で任意に選択され挿入されていたけれども、本実施の形態では、視聴者端末２０４でユーザが有料番組の選択と同様に、ユーザの興味のあるＣＭ映像を選択できるようにするものである。
【００５２】
本実施の形態の構成は、上記実施の形態１の構成とほぼ同様であるので、図２に示した構成図を用い、本実施の形態固有の構成についてのみ説明する。
ＣＭ情報管理サイト２０３の番組一覧管理部３３１は、有料番組の番組一覧表とともに、有料番組に挿入されるＣＭ映像の一覧表も記憶している。ＣＭ映像一覧表には、挿入可能なＣＭ名が列記されている。
【００５３】
送受信制御部３３６は、番組一覧表の取得要求の通知を受けたとき、番組一覧管理部３３１から番組一覧表とともにＣＭ映像一覧表も読み出し、モデム３３５に通知する。
モデム３３５は、要求元の視聴者端末２０４に番組一覧表とともにＣＭ映像一覧表を送信する。
【００５４】
モデム３３５は、視聴者端末２０４から有料番組の送信要求とともに選択ＣＭ一覧表の通知を受けると、コンテンツ管理部３３３に通知する。
図示しない編集装置は、コンテンツサーバ３３２に記憶されているＣＭ映像から選択ＣＭ一覧表に記載されたＣＭ名の映像を読み出して有料番組に挿入し、ＣＭ付有料番組を編集し、コンテンツサーバ３３２に記憶させる。
【００５５】
視聴者端末２０４のモデム３４４は、ＣＭ映像管理サイト２０３から番組一覧表とともにＣＭ映像一覧表を受信すると、送受信制御部３４３に通知する。送受信制御部３４３から有料番組の送信要求とともに選択ＣＭ一覧表の通知を受けると、ＣＭ情報管理サイト２０３にそれらを送信する。
送受信制御部３４３は、モデム３４４から番組一覧表とＣＭ映像一覧表との通知を受けると、映像音声処理部３４７にそれらを通知する。入力処理部３４２から選択された有料番組名を通知されると、映像音声処理部３４７にＣＭ選択画面の表示を指示し、選択されたＣＭ名の通知を受けると、ＣＭ名を記載した選択ＣＭ一覧表として有料番組の送信要求とともにモデム３４４に通知する。
【００５６】
映像音声処理部３４７は、送受信制御部３４３から番組一覧表とＣＭ映像一覧表との通知を受けると、先ず、有料番組選択画面（図６）をモニタ３５２に表示する。送受信制御部３４３からＣＭ選択画面の表示を指示されると、映像音声処理部３４７は、ＣＭ映像一覧表の内容を示すＣＭ選択画面をモニタ３５２に表示する。
【００５７】
図８は、モニタ３５２に表示されたＣＭ選択画面の一例を示す図である。ＣＭ選択画面９０１には、選択可能なＣＭ名９０２と、それを選択したときチェックされるチェックボックス９０３とが表示されている。また、ＣＭ選択画面９０１には、所定数のＣＭを選択する旨の表記９０４が表示されている。チェックボックス９０３に所定数、例えば３個のチェックがされると、「有料番組の取得」ボタン９０５を操作できるようになる。
【００５８】
入力処理部３４２は、リモコン３５１から有料番組名の選択操作の信号を受けると、送受信制御部３４３に有料番組名を通知する。リモコン３５１からＣＭ名の選択操作の信号を受けると、順次ＣＭ名を送受信制御部３４３に通知し、「有料番組の取得」ボタン９０５の操作信号を受けると、送受信制御部３４３に有料番組の取得要求を通知する。
【００５９】
このように、本実施の形態では、ユーザが見たい有料番組を選択する際、併せて挿入されるＣＭも選択できるようにすることで、ユーザの興味のあるＣＭ映像を提供することができる。
(実施の形態３)
上記実施の形態１では、ＣＭ情報管理サイト２０３のコンテンツ送信数計数部３３８は、広告料の請求額を計算して広告主サイト２０２への請求をしたけれども、本実施の形態では、コンテンツ送信数計数部３３８は、ユーザのＣＭ視聴の動向を示すＣＭ選択率表を併せて作成し、広告主サイト２０２に提供する。
【００６０】
本実施の形態も上記実施の形態１の構成とほぼ同様であるので、図２の構成図を用いて説明する。
図９は、コンテンツ送信数計数部３３８で作成されるＣＭ選択率表の一例を示す図である。
ＣＭ選択率表１００１は、ＣＭ名欄１００２とＣＭ送信回数欄１００３とＣＭ選択率欄１００４と視聴者内訳欄１００５と有料番組内訳欄１００６とを含んでおり、ＣＭ映像毎のエントリーが設けられている。
【００６１】
ＣＭ名欄１００２には、有料番組に挿入されたＣＭ映像を識別するＣＭ名が記録される。ＣＭ送信回数欄１００３には、このＣＭ映像の視聴者端末２０４への送信回数が記録される。ＣＭ選択率欄１００４には、ＣＭ送信回数欄１００３に記録された送信回数の総数に占める当該ＣＭ映像の送信回数のパーセント表示が記録される。即ち、全てのＣＭ映像の中でこのＣＭ映像が選択された割合を示している。視聴者内訳欄１００５の記載は省略されているが、ここには、視聴者端末２０４のユーザ属性が、例えば性別や年令層による区分が記録される。有料番組内訳欄１００６の記載は省略されているが、ここには、ＣＭ映像が挿入された有料番組名とその回数とが記録される。
【００６２】
コンテンツ送信数計数部３３８は、ＣＭ名欄１００２にヘッダ情報４０１のＣＭ映像の番組名４０２を記録し、ＣＭ送信回数欄１００３にヘッダ情報４０１の番組に含まれる映像数を累計した値を記録する。有料番組内訳欄１００６にヘッダ情報４０１のＣＭ映像を挿入した番組名４０２を記録する。ＣＭ選択率欄１００３には、所定の期間、例えば１ヶ月ごとに式（２）により計算されたＣＭ選択率を記録する。
【００６３】
ＣＭ選択率＝各ＣＭの送信回数/全ＣＭの送信回数の合計×１００・・・（２）
また、視聴者内訳欄１００５には、予めユーザ登録された視聴者端末２０４のユーザ属性を記録する。
なお、本実施の形態は、実施の形態２でユーザによりＣＭ映像が選択されている場合に特に有効である。即ち、視聴者の興味を持つＣＭを知る上で信頼のできる情報となり、ＣＭ情報管理サイト２０３は、このＣＭ選択率表を広告主サイト２０２に提供することで、広告主は、自社製品のＣＭ映像を評価することができる。
【００６４】
(実施の形態４)
本実施の形態の構成は、図２に示した実施の形態１の構成とほぼ同様であるので、同図を用いて説明する。また、本実施の形態は、上記実施の形態２で有料番組に挿入するＣＭ映像を選択するためにモニタ３５２に表示したＣＭ選択画面９０１を、よりユーザがＣＭ映像を選択しやすいＣＭ選択画面とするものである。そこで、本実施の形態は、上記実施の形態２と異なる構成についてのみ説明する。
【００６５】
ＣＭ情報管理サイト２０３の番組一覧管理部３３１は、ＣＭ映像の一覧表を記憶している。ＣＭ映像一覧表には、挿入可能なＣＭ名が列記され、各ＣＭ名に対応して付加情報としてコメントが付加されている。コメントはＣＭ映像の内容を示唆するものである。ここでは、コメントとしたけれども、画像や映像、音声を伴うものとしてもよい。
【００６６】
映像音声処理部３４７は、モニタ３５２にＣＭ映像一覧表の内容を示すＣＭ選択画面を表示する。
図１０は、このＣＭ選択画面の一例を示す図である。ＣＭ選択画面１１０１には、図８に示したＣＭ名９０２、チェックボックス９０３、表記９０４、「有料番組の取得」ボタン９０５に加えて、コメント１１０２が表示されている。
このように各ＣＭ名毎にコメントを付加することで、ユーザの当該ＣＭの選択を促進し、ＣＭによる宣伝効果をより高めることができる。
【００６７】
(実施の形態５)
本実施の形態では、実施の形態２において、所定数のＣＭ映像を選択したのに対して、所定ポイント数になるようＣＭ映像を選択するよう、各ＣＭ映像に基本ポイントが設定されている。
本実施の形態の構成は、実施の形態１の構成とほぼ同様であるので、図２の構成図を用いて説明する。また実施の形態２と同様の構成部分についても説明を省略し、本実施の形態固有の構成について説明する。
【００６８】
番組一覧管理部３３１は、ＣＭ映像一覧表を記憶している。ＣＭ映像一覧表には、有料番組に挿入可能なＣＭ映像のＣＭ名が列記されている。各ＣＭ名に対応して基本ポイントが記載されている。
この基本ポイントは、ＣＭ情報管理サイト２０３と広告主サイト２０２との契約により設定されるポイント数である。視聴者端末２０４において、この基本ポイント数の合計が例えば１００ポイント以上になるようＣＭ映像を選択しなければ、有料番組の取得要求ができない。
【００６９】
高ポイント数のＣＭ映像はユーザに選択されやすいので、広告主サイト２０２は、ＣＭ映像をアピールしたい期間には、基本ポイントを増加させることができる。
コンテンツ送信数計数部３３８は、各ＣＭ映像の基本ポイントを記憶している。また、上記各実施の形態では、ＣＭ映像の送信1回当りの料金を記憶していたのを、本実施の形態では、1ポイントの料金を記憶しており、1ポイント料金と基本ポイントとの乗算値をＣＭ映像の送信1回当りの料金とする。
【００７０】
図１１は、コンテンツ送信数計数部３３８で作成される使用料/広告料一覧表のうちの広告料一覧表の一例を示す図である。
この広告料一覧表１２０１には、ＣＭ名１２０２と視聴者端末に提供した回数１２０３と1ポイント料金１２０４と基本ポイント１２０５と広告料１２０６との各欄が設けられている。
【００７１】
ＣＭ名１２０２は、有料番組に挿入されたＣＭ映像の名前である。視聴者端末に提供した回数１２０３は、ＣＭ映像ごとに視聴者端末２０４に送信された回数を累計した値である。1ポイント料金１２０４は、予め広告主サイト２０２とＣＭ情報管理サイト２０３との間で設定された単位の広告料である。基本ポイント１２０５は、上述したようにＣＭ映像の選択により視聴者端末２０４で合計されるポイント数である。
【００７２】
広告料１２０６は、コンテンツ送信数計数部３３８で、式（３）により計算される。
広告料＝視聴者端末に提供した回数×1ポイント料金×基本ポイント・・・（３）
視聴者端末２０４の映像音声処理部３４７は、送受信制御部３４３からＣＭ選択画面の表示を指示されると、ＣＭ映像一覧表の内容を示すＣＭ選択画面をモニタ３５２に表示する。
【００７３】
図１２ は、ＣＭ選択画面の一例を示す図である。ＣＭ選択画面１３０１には、ＣＭ名９０２とチェックボックス９０３と「有料番組の取得」ボタン９０５とが表示され、ＣＭ名に対応して基本ポイント１３０２が表示されている。また、有料番組に挿入するＣＭをポイント数の合計が所定値以上になるよう選択する旨の表記１３０３が表示されている。また、ユーザにより選択されたＣＭ映像の基本ポイントの合計値が現在の合計ポイント１３０４として表示されている。
【００７４】
図において、現在の合計ポイント１３０４の値が１００以上になったとき、「有料番組の取得」ボタン９０４が操作可能となる。
映像音声処理部３４７は、送受信制御部３４３から選択されたＣＭ名９０２のチェックボックス９０５のチェック指示と現在の合計ポイント１３０４の合計が通知されると、ＣＭ選択画面１３０１の表示を更新する。
【００７５】
入力処理部３４２は、リモコン３５１からのＣＭ名の選択信号を受信すると送受信制御部３４３に通知する。
送受信制御部３４３は、映像音声処理部３４７にＣＭ選択画面の表示を指示し、カウンタを「０」にリセットする。送受信制御部３４３は、入力処理部３４２から選択されたＣＭ名の選択信号を通知されると、ＣＭ名に対応する基本ポイントをカウンタに加え、映像音声処理部３４７にカウンタ値を通知し、ＣＭ名に対応するチェックボックスにチェック表示をするよう指示する。
【００７６】
また、送受信制御部３４３は、カウンタの値が例えば「１００」以上になったとき、「有料番組の取得」ボタン９０５を操作可能にする。
以上のように、本実施の形態では、ＣＭ映像毎に基本ポイントを設定することで、高ポイントに設定されたＣＭ映像が選択されやすいように、即ち、ＣＭ映像の視聴される機会を増やす代わりに、広告料を高くするものである。
【００７７】
なお、上記各実施の形態では、モデム間の通信は公衆回線とし、有料番組又はＣＭ付有料番組の送信は、放送電波を例に挙げたけれども、ＣＡＴＶのように同軸ケーブルの上下回線でもよいし、インターネットでもよい。
また、上記各実施の形態では、視聴者端末２０４にコンテンツサーバ３４１があるとしたけれども、コンテンツサーバ３４１を持たずに、コンテンツ受信部３４５で受信されたＣＭ付有料番組をコンテンツ管理部３４６を介して映像音声処理部３４７に出力して、再生するようにしてもよい。
【００７８】
また、上記各実施の形態では、ＣＭ映像一覧表にはＣＭ識別子としてＣＭ名を列記したけれども、ＣＭ映像を識別できる製品名やメーカ名、ジャンル名等であってもよいのは勿論である。
(実施の形態６)
図１３は、本発明に係る番組送受信システムの実施の形態６の構成図である。この番組送受信システムは、有料番組サイト１４０１と、有料番組の小売をする複数のＣＭ情報管理サイト１４０２と、複数の視聴者端末２０４と、広告主サイト２０２とから構成される。
【００７９】
有料番組サイト１４０１は、コンテンツサーバ３１１と、コンテンツ管理部３１２と、コンテンツ送信部３１３と、モデム３１４と、認証許諾情報サーバ１４１１と、送受信制御部１４１２と、認証情報管理部１４１３とを備えている。
ＣＭ情報管理サイト１４０２は、コンテンツサーバ１４２１と、コンテンツ管理部１４２２と、コンテンツ送信部１４２３と、送受信制御部１４２４と、番組一覧管理部３３１と、コンテンツ受信部３３４と、モデム３３５と、コンテンツ送信数計数部３３８とを備えている。
【００８０】
上述の実施の形態１と同様の構成部分には同一の符号を付して説明を省略し、本実施の形態固有の構成部分について説明する。
認証許諾情報サーバ１４１１は、ハードディスク等からなり、各ＣＭ情報管理サイト１４０２の認証情報の集合からなる認証許諾情報を記憶している。
図１４は、認証許諾情報の一例を示す図である。認証許諾情報１５０１の各列が認証情報である。認証許諾情報１５０１は、サイトＩＤ１５０２とパスワード１５０３と配信形態１５０４と配信先１５０５と有料番組名１５０６とＣＭ名１５０７とＣＭジャンル１５０８とを含んでいる。
【００８１】
サイトＩＤ１５０２は、各ＣＭ情報管理サイト１４０２を一意に識別するための識別子であり、例えばＣＭ情報管理サイト１４０２のインターネット上のＩＰアドレス等であってもよい。
パスワード１５０３は、サイトＩＤ１５０２で識別されるＣＭ情報管理サイト１４０２が正当なＣＭ情報管理サイトであるか否かの認証に用いられるものであり、有料番組サイト１４０１とＣＭ情報管理サイト１４０２との有料番組の提供の契約時に有料番組サイト１４０１から交付される。
【００８２】
配信形態１５０４は、ＣＭ情報管理サイト１４０２と視聴者端末２０４との間の通信形態を示し、視聴者端末２０４の機器の種類によって決定される。配信形態１５０４には、例えば、携帯電話、インターネット、放送波がある。即ち、視聴者端末２０４が、携帯電話やパソコン、ＴＶ受信機等のいずれであるかによって定まる。これによって、ＣＭ情報管理サイト１４０２毎や有料番組毎に配信形態を有料番組サイト１４０１で制限することができる。
【００８３】
配信先１５０５には、視聴者端末２０４が存在する位置情報や、視聴者の年齢等の視聴者情報が記載されている。位置情報には、国名や地域名、ＩＰアドレス等が挙げられる。例えば、有料番組を映画とした場合、その地域の映画館での放映が終了している地域でのみ、その映画の送信を許可し、まだ映画館で上映中の地域では、許可しないということが可能となる。同様に、視聴者制限の事項として、視聴者の年齢等を含めてもよい。
【００８４】
有料番組名１５０６は、この有料番組サイト１４０１が著作権を保有し、ＣＭ情報管理サイト１４０２を介して視聴者端末２０４に提供される有料番組を一意に識別する識別子である。
ＣＭ名１５０７は、有料番組名１５０６で識別される有料番組に挿入されるＣＭ映像を一意に識別する識別子である。これによって、例えば有料番組サイト１４０１と提携している広告主のＣＭ映像のみを有料番組に挿入するよう制限することができる。
【００８５】
ＣＭジャンル１５０８は、ＣＭ名１５０７で識別されるＣＭ映像の属するジャンルである。
ＣＭ名１５０７やＣＭジャンル１５０８をＣＭ情報管理サイト１４０２の認証許諾情報１５０１に含めたのは、有料番組に挿入されるＣＭ映像がその有料番組に相応しいものでなければ、有料番組の提供を拒否するためである。例えば、子供向けの有料番組には、アルコール飲料のＣＭ映像の挿入を許可しない。
【００８６】
認証情報管理部１４１３は、モデム３１４から送受信制御部１４１２を介して、有料番組名を含む認証情報を通知されると、認証許諾情報サーバ１４１１に記憶されている認証許諾情報１５０１の各列に記録されている認証情報に適合するか否かを判断する。
図１５は、ＣＭ情報管理サイト１４０２から送信されてきた認証情報の一例を示す図である。認証情報１６０１には、サイトＩＤ１６０２とパスワード１６０３と配信形態１６０４と配信先１６０５と有料番組名１６０６とＣＭ名１６０７とＣＭジャンル１６０８との具体的な内容が記録されている。
【００８７】
この認証情報は１６０１は、認証許諾情報１５０１の１列目に記録されている配信形態１５０４の内容が「携帯電話」の認証情報と適合している。認証情報１６０１ではＣＭ名１６０７の具体的内容「ＣＭ３」を含んでいないけれども、その他は認証許諾情報１５０１の１列目の認証情報と一致している。
認証情報管理部１４１３は、通知された認証情報が認証許諾サーバ１４１１に記憶されている認証情報のうちの１つに適合すると判定したとき、送受信制御部１４１２を介してコンテンツ管理部３１２に有料番組名１５０６を通知し、要求元のＣＭ情報管理サイト１４０２に有料番組を送信するよう指示する。
【００８８】
コンテンツ管理部３１２は通知された有料番組名の有料番組をコンテンツサーバ３１１から読み出し、認証許諾通知とともにコンテンツ送信部３１３に通知する。コンテンツ送信部３１３は、認証許諾通知とともに有料番組を要求元のＣＭ情報管理サイト１４０２に送信する。
認証情報管理部１４１３は、通知された認証情報が認証許諾情報サーバ１４１１に記録されているいずれの認証情報とも適合しないと判定したとき、送受信制御部１４１２を介してモデム３１４に要求元のＣＭ情報管理サイト１４０２に認証拒否通知を送信するよう指示する。
【００８９】
コンテンツサーバ１４２１は、ハードディスク等からなり、有料番組に挿入されるＣＭ映像を記憶している。
コンテンツ受信部３３４は、認証許諾の通知とともに有料番組を受信すると、コンテンツ管理部１４２２に有料番組を通知する。
コンテンツ管理部１４２２は、有料番組の通知を受けると、図示しない編集装置に有料番組にコンテンツサーバ１４２１に記憶されているＣＭ映像を挿入したＣＭ付有料番組を編集するように指示する。この際、編集装置には、送受信制御部１４２４から認証情報１６０１のＣＭ名１６０７に記録したＣＭ名が通知される。編集装置は、通知されたＣＭ名のＣＭ映像を有料番組に挿入する。
【００９０】
編集装置は、編集したＣＭ付有料番組を上記各実施例と同様にコンテンツサーバ１４２１に記憶させてもよいし、また、一時記憶領域(図示せず)に記憶させる。
コンテンツ管理部１４２２は、送受信制御部１４２４から認証情報１６０１に記録された配信形態１６０４と要求元の視聴者端末２０４との通知を受け、コンテンツサーバ１４２１又は一時記憶領域からＣＭ付有料番組を読み出し、配信形態１６０４の内容に従いＣＭ付有料番組を要求元の視聴者端末２０４に送信するようコンテンツ送信部１４２３に通知する。
【００９１】
コンテンツ管理部１４２２は、ＣＭ付有料番組を読み出し、コンテンツ送信部１４２３に全て通知した直後に、コンテンツサーバ１４２１又は一時記憶領域に記憶されているＣＭ付有料番組を消去する。これによって、不正な有料番組の利用を防止することができる。
コンテンツ送信部１４２３は、コンテンツ管理部１４２２から通知された配信形態１６０４に従い、通知されたＣＭ付有料番組を要求元の視聴者端末２０４に送信する。
【００９２】
送受信制御部１４２４は、モデムを介して視聴者端末２０４から有料番組の送信要求を通知されると、有料番組名１６０６を含む認証情報１６０１(図１５)を生成する。この際、有料番組に挿入するＣＭ名１６０７は、コンテンツ管理部１４２２に問合せて記録するか、又は、視聴者端末で選択された選択ＣＭ名を記録する。又、配信形態１６０４は、視聴者端末２０４が例えば、携帯電話のときは携帯電話、パソコンのときはインターネット、ＴＶ受信機のときは放送波とする。
【００９３】
なお、サイトＩＤ１６０２は、ＣＭ情報管理サイト１４０２自身を識別する識別子であり、パスワード１６０３は、契約時に有料番組サイト１４０１から交付されたものである。
送受信制御部１４２４は、生成した認証情報１６０１をモデム３３５に通知する。
【００９４】
送受信制御部１４２４は、モデム３３５を介して有料番組サイト１４０１から認証拒否通知を受けると、要求元の視聴者端末２０４に有料番組送信許否通知をモデム３３５を介して送信する。
モデム３３５は、送受信制御部１４２４から認証情報１６０１を通知されると、有料番組サイト１４０１に認証情報１６０１を送信する。
【００９５】
次に、本実施の形態の動作を図１６のメッセージシーケンス図を用いて説明する。
なお、Ｓ１７０２からＳ１７１０迄は、上記実施の形態１で説明した図７に示したＳ８０２からＳ８１０と同様であるので説明を省略する。
Ｓ１７１２において、ＣＭ情報管理サイト１４０２の送受信制御部１４２４は、有料番組の送信要求を視聴者端末２０４からモデム３３５を介して通知されると、認証情報１６０１を作成する（Ｓ１７１２）。認証情報１６０１には、ＣＭ情報管理サイト１４０２が正当な有料番組の小売りを認められたものであることを証明するサイトＩＤ１６０２とパスワード１６０３とを含み、送信要求をする有料番組名１６０６を含んでいる。更に、認証情報１６０１には、要求元の視聴者端末２０４の機器の種類により定まる配信形態１６０４と、要求元の視聴者端末２０４の位置情報等の配信先１６０５と、有料番組に挿入予定のＣＭ名１６０７と、そのジャンルであるＣＭジャンル１６０８とが含まれている。
【００９６】
モデム３３５は、送受信制御部１４２４で作成された認証情報を有料番組サイト１４０１のモデム３１４に送信する（Ｓ１７１４）。
有料番組サイト１４０１において、モデム３１４は、ＣＭ情報管理サイト１４０２から送信された認証情報１６０１を受信する。
認証情報管理部１４１３は、送受信制御部１４１２を介してモデムで受信された認証情報１６０１を通知されると、認証許諾情報サーバ１４１１に記憶されている各ＣＭ情報管理サイトの認証情報の集合からなる認証許諾情報１５０１のうちの一つに通知された認証情報１６０１が適合するか否かを判定する（Ｓ１７１６）。
【００９７】
認証情報管理部１４１３は、認証許諾情報１５０１に通知された認証情報１６０１と適合する認証情報がないと判定したときには、有料番組の送信ができない旨の認証拒否通知を作成する。
モデム３１４は、認証拒否通知を送受信制御部１４１２を介して通知されると、ＣＭ情報管理サイト１４０２にそれを送信する（Ｓ１７１８）。
【００９８】
ＣＭ情報管理サイト１４０２では、モデム３３５で認証拒否通知が受信されると、送受信制御部１４２４は、有料番組が送信できない旨の有料番組送信拒否通知を作成する（Ｓ１７２０）。
モデム３３５は、要求元の視聴者端末２０４に有料番組送信拒否通知を送信する（Ｓ１７２２）。
【００９９】
視聴者端末２０４では、有料番組送信拒否通知を受信すると、モニタ３５２に有料番組が取得できない旨の表示がされる（Ｓ１７２４）。
認証情報管理部１４１３で認証許諾情報１５０１に通知された認証情報１６０１と適合する認証情報があると判定したときには、送受信制御部１４１２を介してコンテンツ管理部３１２に有料番組名１６０６を通知し、認証許諾通知を送信するよう指示する。
【０１００】
コンテンツ管理部３１２は、通知された有料番組名の有料番組をコンテンツサーバ３１１から読み出し、認証許諾通知とともにコンテンツ送信部３１３に通知する。
コンテンツ送信部３１３は、認証許諾通知とともに要求元のＣＭ情報管理サイト１４０２に有料番組を送信する（１７２６）。
【０１０１】
ＣＭ情報管理サイト１４０２において、コンテンツ受信部３３４は、有料番組サイト１４０１から認証許諾通知とともに有料番組を受信する（Ｓ１７２８）。
受信した有料番組を一時記憶領域(図示せず)に記憶させる。編集装置(図示せず)によって、認証情報１６０１のＣＭ名１６０７で識別されるＣＭ映像をコンテンツサーバ１４２１から読み出し、記憶されている有料番組に挿入してＣＭ付有料番組を編集する。
【０１０２】
コンテンツ送信部１４２３は、認証情報１６０１の配信形態１６０４に従いＣＭ付有料番組を要求元の視聴者端末２０４に送信する（Ｓ１７３０）。
ＣＭ付有料番組を受信した視聴者端末２０４では、ＣＭ付有料番組が再生される（Ｓ１７３２）。
なお、本実施の形態では、著作権保護の対策から各視聴者端末２０４のコンテンツサーバ３４１にＣＭ付有料番組をダウンロードさせるよりも、ストリーミング型配信によりリアルタイムで再生させることが望まれる。
【０１０３】
また、本実施の形態では、不正なＣＭ情報管理サイトが有料番組を有料番組サイト１４０１から取得して、不当な有料番組の安売りを防止するため、ＣＭ情報管理サイトから有料番組の送信要求をする際、要求元の視聴者端末２０４の識別情報も同時に送信するようにする。
そして、有料番組サイト１４０１は、暗号化した有料番組をＣＭ情報管理サイトに送信し、暗号化された有料番組の複合鍵を直接視聴者端末２０４に送信するようにしてもよい。この場合、上記実施の形態１のＩＣカード３４９に記憶されている暗号鍵は使用しない。
【０１０４】
また、上記実施の形態２以降では、ＣＭ情報管理サイト２０３、１４０２は、ＣＭ映像一覧表を番組一覧表と同時に視聴者端末２０４に送信するようにしたけれども、番組一覧表を先ず送信し、番組名の指定を受信した後、ＣＭ映像一覧表を送信するようにしてもよい。この場合、番組一覧管理部３３１には、有料番組に対応して複数のＣＭ映像一覧表を記憶するようにする。送受信制御部３３６、１４２４は、番組名に応じた一のＣＭ映像一覧表を選択し、要求元の視聴者端末２０４に有料番組に応じたＣＭ映像一覧表を送信するようにする。これによって、有料番組に適合したＣＭ映像の挿入が可能となる。
【０１０５】
また、上記各実施の形態では、有料番組に挿入されるのがＣＭ映像として説明したけれども、ＣＭ音声でもよいし、ＣＭ音声映像であってもよいのは勿論である。
また、上記各実施の形態において、構成図を図２と図１３とに示したけれども、各構成要素の機能をコンピュータに発揮させるプログラムで実現するようにしてもよい。このプログラムをコンピュータ読み取り可能な記録媒体に記録しておき、有料番組にＣＭを挿入して、視聴者端末にＣＭ付有料番組を送信する番組送受信システムに適用するようにしてもよい。
【０１０６】
【発明の効果】
以上説明したように、本発明は、有料番組にＣＭを挿入して、視聴者端末装置にＣＭ付有料番組を送信する番組送受信システムであって、有料番組を提供する有料番組サイトと、ネットワーク上に複数存在し、各視聴者端末装置から受け付けた要求が所定数を超えていなければ有料番組の一覧表を、前記受け付けた要求が所定数を超えていれば他のＣＭ情報管理サイトの識別情報を前記視聴者端末装置に送信し、前記有料番組サイトから視聴者端末装置で指定された有料番組の提供を受け、ＣＭを挿入したＣＭ付有料番組を要求元の視聴者端末装置に送信するＣＭ情報管理サイトと、前記ＣＭ情報管理サイトに有料番組の一覧表を要求し、前記要求に対する応答として前記有料番組の一覧表が受信されれば前記一覧表に含まれる有料番組を指定して当該ＣＭ情報管理サイトに要求して、ＣＭ付有料番組を受信して再生し、前記要求に対する応答として前記他のＣＭ情報管理サイトの識別情報が受信されれば、前記識別情報が示す他のＣＭ情報管理サイトに有料番組の一覧表を再度要求する複数の視聴者端末装置とを備えることとしている。
【０１０７】
また、本発明は、ネットワーク上に存在するＣＭ情報管理サイトであって、有料番組の番組識別子を列記した番組一覧表を記憶する番組一覧表記憶手段と、複数のＣＭを記憶しているＣＭ記憶手段と、各視聴者端末装置から番組一覧表の送信要求を受信すると、各視聴者端末装置から受信した番組一覧表の送信要求が所定数を超えていなければ、前記番組一覧表記憶手段から番組一覧表を読み出して要求元の視聴者端末装置に送信し、前記所定数を超えていれば、前記ネットワーク上に存在する他のＣＭ情報管理サイトの識別情報を前記要求元の視聴者端末装置に送信する番組一覧表送信手段と、各視聴者端末装置から前記番組一覧表に記載の番組識別子を指定した有料番組の送信要求を受信する送信要求受信手段と、有料番組サイトに送信要求された有料番組の送信要求をする有料番組送信要求手段と、前記有料番組サイトから有料番組を受信する受信手段と、受信した有料番組に前記ＣＭ記憶手段に記憶されている１以上のＣＭを読み出し、有料番組に挿入したＣＭ付有料番組を編集する編集手段と、ＣＭ付有料番組を要求元の視聴者端末装置に送信する送信手段とを備えることとしている。
このような構成によって、確実に有料番組の要求が分散され、有料番組の要求の錯綜を防止しつつ、視聴者端末装置にＣＭ付有料番組を送信することができる。
【０１０８】
また、各有料番組、各ＣＭ毎に送信した有料番組数とＣＭ数とを累計する送信数計数手段と、有料番組に挿入可能な前記ＣＭ記憶手段に記憶されているＣＭのＣＭ識別子を列記したＣＭ一覧表を記憶しているＣＭ一覧表記憶手段とを更に備え、前記番組一覧表送信手段は、番組一覧表を読み出すとともに前記ＣＭ一覧表記憶手段からＣＭ一覧表を読み出し、番組一覧表とともにＣＭ一覧表を要求元の視聴者端末装置に送信し、前記送信要求受信手段は、番組名の指定とともに前記ＣＭ一覧表から選択された選択ＣＭ識別子も受信し、前記編集手段は、前記送信要求受信手段で受信された選択ＣＭ識別子のＣＭを前記ＣＭ記憶手段から読み出し、有料番組に挿入したＣＭ付有料番組を編集することとしている。
【０１０９】
このような構成によって、ＣＭ付有料番組を視聴者端末装置に提供するＣＭ情報管理サイトでは、視聴者端末装置に提供した有料番組数やＣＭ数を把握することができ、有料番組に挿入されるＣＭを視聴者の嗜好に応じて選択できるようにしている。これにより視聴者は、有料番組の視聴料の割り引きとともにＣＭを楽しむことができる。
また、前記ＣＭ一覧表記憶手段には、ＣＭ識別子に対応して、ＣＭの選択で与えられるポイント数が記録されていることとしている。
【０１１０】
このような構成によって、視聴者は所定ポイントになるまでＣＭを選択することで有料番組を廉価に視聴することができる。また、ＣＭの広告主は、ＣＭのポイント数を大きくすることで、ＣＭの選択を促進することができ、宣伝効果を高めることができる。
また、各ＣＭの単位ポイント当りの基本料金と当該ＣＭに対応したポイント数と、当該ＣＭの送信されたＣＭ数とに応じた広告料金を計算する広告料金計算手段を更に備えることとしている。
【０１１１】
このような構成によって、広告主は、宣伝効果を高める代償として、高額の広告料を負担することになり、広告主間の衡平を図ることができる。
【０１１２】
また、前記ＣＭ一覧表記憶手段には、ＣＭ識別子に対応してＣＭの内容を示唆する付加情報が記憶されていることとしている。
【０１１３】
このような構成によって、視聴者は、ＣＭ内容を予想してＣＭを選択することができる。
また、前記送信要求受信手段で受信された選択ＣＭ識別子に従い、各ＣＭがＣＭ全体で選択されたＣＭ選択割合を計算するＣＭ選択割合計算手段を更に備え、このＣＭ選択割合は、ＣＭを提供している広告主に報告されることとしている。
【０１１４】
このような構成によって、視聴者が好んで選択するＣＭの動向がわかるので、広告主は、ＣＭ製作の参考とすることができる。
【０１１５】
また、各有料番組の送信１回当りの使用料と送信された当該有料番組数とに応じた番組使用料を、各ＣＭの送信１回当りの広告料と送信された当該ＣＭ数とに応じた広告料をそれぞれ計算する料金計算手段を更に備えることとしている。
【０１１６】
このような構成によって、現実に送信された有料番組数や、ＣＭ数に応じて有料番組の使用料やＣＭの広告料が計算されるので、有料番組の著作権やＣＭの広告主間の衡平が図られる。
また、前記編集手段は、前記有料番組の識別情報と、有料番組に挿入したＣＭ毎の識別情報とそのＣＭ数とをＣＭ付有料番組のヘッダ情報として生成するヘッダ情報生成部を有し、前記送信数計数手段は、前記送信手段で送信されるＣＭ付有料番組のヘッダ情報を読み出すヘッダ情報読出部と、読み出した各識別情報毎の有料番組数とＣＭ数とを累計する累計部とを有することとしている。
【０１１７】
このような構成によって、視聴者端末装置に送信された有料番組数や、ＣＭ数を容易に計算することができる。
また、ネットワーク上に存在するＣＭ情報管理サイトであって、有料番組の番組識別子を列記した番組一覧表を記憶する番組一覧表記憶手段と、各視聴者端末装置から番組一覧表の送信要求を受信すると、各視聴者端末装置から受信した番組一覧表の送信要求が所定数を超えていなければ、前記番組一覧表記憶手段から番組一覧表を読み出して要求元の視聴者端末装置に送信し、前記所定数を超えていれば、前記ネットワーク上に存在する他のＣＭ情報管理サイトの識別情報を前記要求元の視聴者端末装置に送信する番組一覧表送信手段と、有料番組サイトに番組名を含む認証情報を送信する認証情報送信手段と、前記有料番組サイトから認証許可通知と有料番組とを、又は、認証拒否通知を受信する受信手段と、受信された有料番組を記憶する有料番組記憶手段と、記憶された有料番組にＣＭを挿入したＣＭ付有料番組を編集する編集手段と、編集されたＣＭ付有料番組を要求元の視聴者端末装置に送信するＣＭ付有料番組送信手段とを備えることとしている。
【０１１８】
このような構成によって、有料番組の著作権を有する有料番組サイトは、不正なＣＭ情報管理サイトへの有料番組の提供を防止することができる。
また、前記ＣＭ付有料番組送信手段でＣＭ付有料番組が視聴者端末装置に送信された直後に、前記有料番組記憶手段に記憶されている有料番組及びＣＭ付有料番組を消去する消去手段を更に備えることとしている。
【０１１９】
このような構成によって、ＣＭ情報管理サイトには、要求されている有料番組以外が残っていないので、不正に有料番組やＣＭ付有料番組を利用されることを防止できる。
【０１２０】
また、前記認証情報には、配信形態を含み、前記配信形態は、視聴者端末装置の機器の種類により決定され、前記ＣＭ付有料番組送信手段は、配信形態に従い要求元の視聴者端末装置にＣＭ付有料番組を送信することとしている。
【０１２１】
このような構成によって、視聴者端末装置の機器の種類に応じた配信形態でＣＭ付有料番組を送信することができる。
【０１２３】
また、本発明は、有料番組にＣＭを挿入して、視聴者端末装置にＣＭ付有料番組を送信するＣＭ情報管理サイトの番組送受信方法であって、各視聴者端末装置から有料番組の番組名を列記した有料番組一覧表の送信要求を受信する有料番組一覧表要求受信ステップと、各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、視聴者端末装置から有料番組一覧表に列記された番組名の番組要求を受信する番組要求受信ステップと、有料番組サイトに番組要求された有料番組の要求を送信する有料番組要求送信ステップと、有料番組サイトから有料番組を受信する有料番組受信ステップと、受信した有料番組に記憶している１以上のＣＭを挿入するＣＭ挿入ステップと、ＣＭの挿入されたＣＭ付有料番組を要求元の視聴者端末装置に送信するＣＭ付有料番組送信ステップとを有することとしている。
【０１２４】
このような方法によって、各ＣＭ情報管理サイトに有料番組の要求が分散されるので、有料番組の要求の錯綜が防止され、また、各ＣＭ情報管理サイトは、視聴者端末にＣＭ付有料番組を送信することができる。
また、前記有料番組一覧表送信ステップにおいて、有料番組一覧表の送信とともに、有料番組に挿入可能なＣＭ識別子と当該ＣＭ識別子に対応してＣＭの選択で与えられるポイント数とを列記したＣＭ一覧表を送信し、前記番組要求受信ステップにおいて、番組要求とともに選択された選択ＣＭ識別子を受信し、前記ＣＭ挿入ステップにおいて、有料番組に選択ＣＭ識別子で識別されるＣＭを挿入し、各ＣＭ毎に送信したＣＭ数を累計する送信数計数ステップと、各ＣＭの単位ポイント当りの基本料金と当該ＣＭに対応したポイント数と、当該ＣＭの送信されたＣＭ数とに応じた広告料金を計算する広告料金計算ステップとを更に有することとしている。
【０１２５】
このような方法によって、ＣＭのポイント数を大きくしてＣＭの選択を促進することができ、その代償として、広告主は高額の広告料を負担する。
また、前記有料番組一覧表送信ステップにおいて、有料番組一覧表の送信とともに、有料番組に挿入可能なＣＭ識別子を列記したＣＭ一覧表を送信し、前記番組要求受信ステップにおいて番組要求とともに選択された選択ＣＭ識別子を受信し、前記ＣＭ挿入ステップにおいて、有料番組に選択ＣＭ識別子で選別されるＣＭを挿入し、各ＣＭ毎に送信したＣＭ数を累計する送信数計数ステップと、前記番組要求受信ステップで受信された選択ＣＭ識別子に従い、各ＣＭがＣＭ全体で選択されたＣＭ選択割合を計算するＣＭ選択割合計算ステップとを有し、このＣＭ選択割合は、ＣＭを提供している広告主に報告されることとしている。
【０１２６】
このような方法によって、広告主は、ＣＭ選択割合を見て、視聴者が好んで選択するＣＭの動向を知ることができる。
また、ネットワーク上に存在するＣＭ情報管理サイトの番組送受信方法であって、各視聴者端末装置から有料番組の番組名を列記した有料番組一覧表の送信要求を受信する有料番組一覧表要求受信ステップと、各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、有料番組サイトに番組名を含む認証情報を送信する認証情報送信ステップと、前記有料番組サイトから認証許可通知と有料番組とを、又は、認証拒否通知を受信する受信ステップと、受信された有料番組を記憶する有料番組記憶ステップと、記憶された有料番組にＣＭを挿入したＣＭ付有料番組を編集する編集ステップと、編集されたＣＭ付有料番組を要求元の視聴者端末装置に送信するＣＭ付有料番組送信ステップとを有することとしている。
【０１２７】
このような方法によって、有料番組の著作権を有する有料番組サイトは、不正なＣＭ情報管理サイトへの有料番組の提供を防止することができる。
また、本発明は、有料番組にＣＭを挿入して、視聴者端末装置にＣＭ付有料番組を送信するＣＭ情報管理サイトに、各視聴者端末装置から有料番組の番組名を列記した有料番組一覧表の送信要求を受信する有料番組一覧表要求受信ステップと、各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、視聴者端末装置から有料番組一覧表に列記された番組名の番組要求を受信する番組要求受信ステップと、有料番組サイトに番組要求された有料番組の要求を送信する有料番組要求送信ステップと、有料番組サイトから有料番組を受信する有料番組受信ステップと、受信した有料番組に記憶している１以上のＣＭを挿入するＣＭ挿入ステップと、ＣＭの挿入されたＣＭ付有料番組を要求元の視聴者端末装置に送信するＣＭ付有料番組送信ステップとを実行させるための番組送受信プログラムとしている。
【０１２８】
同様に、有料番組にＣＭを挿入して、視聴者端末装置にＣＭ付有料番組を送信するＣＭ情報管理サイトに、各視聴者端末装置から有料番組の番組名を列記した有料番組一覧表の送信要求を受信する有料番組一覧表要求受信ステップと、各視聴者端末装置から受信した有料番組一覧表の送信要求が所定数を超えていなければ、有料番組一覧表を要求元の視聴者端末装置に送信し、前記受信した送信要求が所定数を超えていれば、前記ネットワーク上に存在する他のＣＭ情報管理サイトの識別情報を前記要求元の視聴者端末装置に送信する有料番組一覧表送信ステップと、視聴者端末装置から有料番組一覧表に列記された番組名の番組要求を受信する番組要求受信ステップと、有料番組サイトに番組要求された有料番組の要求を送信する有料番組要求送信ステップと、有料番組サイトから有料番組を受信する有料番組受信ステップと受信した有料番組に記憶している１以上のＣＭを挿入するＣＭ挿入ステップと、ＣＭの挿入されたＣＭ付有料番組を要求元の視聴者端末装置に送信するＣＭ付有料番組送信ステップとを実行させるためのプログラムを記録したコンピュータ読み取り可能な記録媒体としている。
【０１２９】
このようなプログラムや記録媒体を番組送受信システムに用いることによって、各ＣＭ情報管理サイトに有料番組の要求が分散されるので、有料番組の要求の錯綜が防止される。
また、本発明は、ＣＭ付有料番組を受信して再生する各視聴者端末装置であって、ＣＭ情報管理サイトに番組一覧表を要求する番組一覧表要求手段と、要求先のＣＭ情報管理サイトから番組一覧表とＣＭ一覧表、もしくは、他のＣＭ情報管理サイトの識別情報を受信する一覧表受信手段と、前記一覧表受信手段が他のＣＭ情報管理サイトの識別情報を受信した場合は、番組一覧表を当該識別情報の示す他のＣＭ情報管理サイトへ再度要求する再要求手段と、前記番組一覧表の内容に従い複数の有料番組の番組名を表示した番組選択画面をモニタに表示し、番組名が選択された後に、前記ＣＭ一覧表の内容に従い複数のＣＭのＣＭ識別子を表示したＣＭ選択画面をモニタに表示する表示制御手段と選択された番組名と選択された選択ＣＭ識別子とともに有料番組の送信要求をＣＭ情報管理サイトに送信する送信要求送信手段と、ＣＭ付有料番組を受信する受信手段と、受信したＣＭ付有料番組を再生出力する再生手段とを備えることとしている。
このような構成によって、有料番組に挿入されるＣＭを視聴者の嗜好に応じて選択できるようにしている。また、確実に有料番組の要求が分散されるので、有料番組の要求の錯綜を防止しつつ、視聴者は、有料番組の視聴料の割り引きとともにＣＭを楽しむことができる。
【０１３０】
また、前記ＣＭ一覧表には、ＣＭ識別子に対応して、ＣＭの選択で与えられるポイント数が記録されており、前記表示制御手段は、ＣＭ選択画面に表示したＣＭ識別子に対応してポイント数を表示し、前記モニタに表示された複数のＣＭ識別子からＣＭ識別子の選択を受け付けるＣＭ選択受付手段と、前記ＣＭ識別子が選択されたとき、対応するポイント数を順次合計し、所定ポイント以上になったとき、有料番組の送信要求を許可する送信要求許可手段とを更に備えることとしている。
このような構成によって、視聴者は所定ポイントになるまでＣＭを選択することで有料番組を廉価に視聴することができる。また、ＣＭの広告主は、ＣＭのポイント数を大きくすることで、ＣＭの選択を促進することができ、宣伝効果を高めることができる。
また、前記モニタに表示された複数のＣＭ識別子からＣＭ識別子の選択を受け付けるＣＭ選択受付手段と、前記ＣＭ識別子が所定数選択されたとき、有料番組の送信要求を許可する送信要求許可手段とを更に備えることとしている。
このような構成によって、視聴者は、好みのＣＭを所定数選ぶことによって、
有料番組を廉価に視聴することができる。
【０１３１】
また、前記ＣＭ一覧表には、ＣＭ識別子に対応してＣＭの内容を示唆する付加情報が記録されており、前記表示制御手段は、前記ＣＭ選択画面にＣＭ識別子に対応して付加情報を表示することとしている。
このような構成によって、視聴者は、ＣＭ内容を予想してＣＭを選択することができる。
【図面の簡単な説明】
【図１】本発明に係る番組送受信システムの実施の形態１の概略図である。
【図２】上記実施の形態の構成図である。
【図３】上記実施の形態のＣＭ情報管理サイトのＣＭ付有料番組に付されたヘッダ情報
の一例を示す図である。
【図４】上記実施の形態のコンテンツ送信数計数部で作成された使用料/広告料一覧表
の一例を示す図である。
【図５】上記実施の形態のコンテンツ送信数計数部で作成された視聴者端末管理表の一
例を示す図である。
【図６】上記実施の形態の視聴者端末でモニタに表示される有料番組選択画面の一例を示す図である。
【図７】上記実施の形態の有料番組サイトとＣＭ情報管理サイトと視聴者端末とのメッセージシーケンスを示す図である。
【図８】本発明に係る番組送受信システムの実施の形態２のモニタに表示されるＣＭ選択画面の一例を示す図である。
【図９】本発明に係る番組送受信システムの実施の形態３のＣＭ送信数計数部で作成されるＣＭ選択率表の一例を示す図である。
【図１０】本発明に係る番組送受信システムの実施の形態４のモニタに表示されるＣＭ選択画面の一例を示す図である。
【図１１】本発明に係る番組送受信システムの実施の形態５のＣＭ送信数計数部で作成される広告料一覧表の一例を示す図である。
【図１２】上記実施の形態のモニタに表示されるＣＭ選択画面の一例を示す図である。
【図１３】本発明に係る番組送受信システムの実施の形態６の構成図である。
【図１４】上記実施の形態の有料番組サイトの認証許諾情報サーバに記憶されている認証許諾情報の一例を示す図である。
【図１５】上記実施の形態のＣＭ情報管理サイトから有料番組の送信要求とともに送信される認証情報の一例を示す図である。
【図１６】上記実施の形態の有料番組サイトとＣＭ情報管理サイトと視聴者端末とのメッセージシーケンスを示す図である。
【図１７】従来の番組送受信システムの概略図である。
【符号の説明】
２０１    有料番組サイト
２０２    広告主サイト
２０３    ＣＭ情報管理サイト
２０４    視聴者端末
３１１    コンテンツサーバ
３１２    コンテンツ管理部
３１３    コンテンツ送信部
３１４    モデム
３１５    受信制御部
３３１    番組一覧管理部
３３２    コンテンツサーバ
３３３    コンテンツ管理部
３３４    コンテンツ受信部
３３５    モデム
３３６    送受信制御部
３３７    コンテンツ送信部
３３８    コンテンツ送信数計数部
３４１    コンテンツサーバ
３４２    入力処理部
３４３    送受信制御部
３４４    モデム
３４５    コンテンツ受信部
３４６    コンテンツ管理部
３４７    映像音声処理部
３４８    再生回数計数部
３４９    ＩＣカード
３５１    リモコン
３５２    モニタ
１４１１    認証許諾情報サーバ
１４１２    送受信制御部
１４１３    認証情報管理部
１４２１    コンテンツサーバ
１２２２    コンテンツ管理部
１４２３    コンテンツ送信部
１４２４    送受信制御部
【図１】
0003884939.tif 000002
【図２】
0003884939.tif 000003
【図３】
0003884939.tif 000004
【図４】
0003884939.tif 000005
【図５】
0003884939.tif 000006
【図６】
0003884939.tif 000007
【図７】
0003884939.tif 000008
【図８】
0003884939.tif 000009
【図９】
0003884939.tif 000010
【図１０】
0003884939.tif 000011
【図１１】
0003884939.tif 000012
【図１２】
0003884939.tif 000013
【図１３】
0003884939.tif 000014
【図１４】
0003884939.tif 000015
【図１５】
0003884939.tif 000016
【図１６】
0003884939.tif 000017
【図１７】
0003884939.tif 000018